(57)【要約】【課題】切除装置に混入した気泡の有無を検出することで、噴射した液体による生物組織の切開能力を安定に維持することを可能とする。【解決手段】液体室に液体を充填した状態で、駆動部材に電圧を印加することにより、液体室内の液体を加圧して噴射ノズルから噴射して、生物組織を切開する。液体室内に混入した気泡の有無に応じて駆動部材の変形の仕方が変化し、その影響が、駆動部材に流れる電流波形に現れる。そこで、駆動部材に流れる電流を検出することで、混入した気泡の有無を検出する。こうすれば、気泡混入によって僅かに切開能力が低下した場合でも、直ちにそのことが分かるので、常に安定した切開能力を維持することが可能となる。【選択図】図６
2014239891.tif 000002
【特許請求の範囲】
【請求項１】
生物組織に向けて液体を噴射することで、該生物組織の切除を行う切除装置であって、  噴射しようとする液体を供給する液体供給手段と、
前記供給された液体が充填される液体室と、
前記液体室に接続された前記噴射ノズルと、
駆動電圧が印加されると、該駆動電圧が印加されない場合よりも前記液体室の容積を減少させる方向に変形する駆動部材と、
前記液体室に前記供給された液体が充填された状態で前記駆動部材に前記駆動電圧を印加することにより、該液体室内の前記液体を前記噴射ノズルからパルス状に噴射させる液体噴射手段と、
前記駆動電圧を前記駆動部材に印加した時の、前記駆動部材に流れる電流を検出することで、前記液体室内の気泡を検出する気泡検出手段と
を備える切除装置。
【請求項２】
請求項１に記載の切除装置であって、
前記気泡検出手段は、前記駆動部材に流れる電流のピーク電流を検出することで、前記液体室内の気泡を検出する手段である切除装置。
【請求項３】
請求項１に記載の切除装置であって、
前記液体噴射手段は、所定の最大電圧まで増加した後、該最大電圧から減少する波形の電圧を、前記駆動部材に印加する手段であり、
前記気泡検出手段は、前記駆動部材に前記最大電圧が印加された時に、前記駆動部材に流れる電流を検出することで、前記液体室内の気泡を検出する手段である切除装置。
【請求項４】
請求項１ないし請求項３のいずれか一項に記載の切除装置であって、さらに、
前記駆動部材に応じた基準電流を記憶する記憶手段を備え、
前記気泡検出手段は、前記駆動部材に流れる電流と、前記駆動部材に応じて記憶された基準電流とを比較することによって、前記液体室内の気泡を検出する手段である切除装置。
【請求項５】
生物組織に向けて噴射するための液体が充填される液体室と、
前記液体室に接続された噴射ノズルと、
駆動電圧が印加されると、該駆動電圧が印加されない場合よりも前記液体室の容積を減少させる方向に変形する駆動部材と
を備えた切除装置に適用されて、前記液体室内の気泡を検出する気泡検出方法であって、
前記液体室内に前記液体を供給する工程と、
前記液体室に前記液体が充填された状態で前記駆動部材に前記駆動電圧を印加することにより、該液体室内の前記液体を前記噴射ノズルから噴射させる工程と、
前記駆動電圧を前記駆動部材に印加した時の、前記駆動部材に流れる電流を検出することで、前記液体室内の気泡を検出する工程と
を備える気泡検出方法。
【発明の詳細な説明】
【技術分野】
【０００１】
本発明は、加圧した液体を生体組織に向けて噴射することにより、生体組織の切開または切除を行う技術に関する。
【背景技術】
【０００２】
水あるいは生理食塩水などの液体を加圧して、噴射ノズルから細くしぼった状態で生体組織などに噴射することで、組織の切開や切除などを行う技術が開発されている（特許文献１）。この技術は、血管などの脈管構造を傷つけることなく臓器などの組織だけを切開することが可能であり、周囲の組織に与える損傷が少ないので、患者の負担を小さくすることが可能である。
【０００３】
また、液体を噴射するに際して、単に噴射ノズルから連続的に噴射するのではなく、パルス状の噴流を断続的に噴射するようにした技術も提案されている。この提案の技術では、噴射ノズルに接続された小さな液体室に液体を供給して、液体室の容積を瞬間的に減少させることで、噴射ノズルからパルス状に液体を噴射する。続いて、液体室の容積を元に戻して再び液体を供給する。こうした動作を繰り返して行うことで、パルス状の噴流を断続的に噴射することができる。このように、パルス状の噴流を噴射すると、噴流の圧力が衝撃的に生体組織に加わることになるので、少ない噴射量で生体組織を切開することができる。その結果、噴射した液体が溜まって、切開しようとする生体組織の視認が困難になったり、溜まった液体で噴流の勢いが弱められて、切開能力が低下したりすることを抑制することが可能となる（特許文献２）。
【先行技術文献】
【特許文献】
【０００４】
【特許文献１】特開２００５−１５２１２７号公報
【特許文献２】特開２００８−０８２２０２号公報
【発明の概要】
【発明が解決しようとする課題】
【０００５】
しかし、液体をパルス状に噴射する技術では、安定した切開能力を維持することが難しいという問題があった。すなわち、液体室の容積を瞬間的に減少させて、液体を加圧することによってパルス状の噴流を噴射している関係上、液体室内に気泡が混入すると、気泡が圧縮されてしまうので液体を十分に加圧することができなくなり、その結果、切開能力が低下する。もちろん、混入した気泡が多いために噴流の出方が明らかに悪くなった場合には、混入した気泡を取り除いて切開能力を回復させることもできるが、混入した気泡が僅かな場合には、気泡が混入していることに気が付かず、切開能力が低下したまま使用を継続することになる。
【０００６】
この発明は、従来の技術が有する上述した課題を解決するためになされたものであり、パルス状の液体を噴射して生体組織の切開または切除を行う切除装置で、僅かな気泡が混入した場合でも、そのことを、精度良くしかも直ちに検出することが可能な技術の提供を目的とする。
【課題を解決するための手段】
【０００７】
上述した課題の少なくとも一部を解決するために、本発明の切除装置は次の構成を採用した。すなわち、
生物組織に向けて液体を噴射することで、該生物組織の切除を行う切除装置であって、
噴射しようとする液体を供給する液体供給手段と、
前記供給された液体が充填される液体室と、
前記液体室に接続された前記噴射ノズルと、
駆動電圧が印加されると、該駆動電圧が印加されない場合よりも前記液体室の容積を減少させる方向に変形する駆動部材と、
前記液体室に前記供給された液体が充填された状態で前記駆動部材に前記駆動電圧を印加することにより、該液体室内の前記液体を前記噴射ノズルからパルス状に噴射させる液体噴射手段と、
前記駆動電圧を前記駆動部材に印加した時の、前記駆動部材に流れる電流を検出することで、前記液体室内の気泡を検出する気泡検出手段と
を備えることを要旨とする。
【０００８】
こうした構成を有する本発明の切除装置においては、液体室に液体を充填した状態で、駆動部材に駆動電圧を印加することにより、液体室内の液体を加圧して噴射ノズルから噴射することができる。このとき液体室内に気泡が混入していた場合には、駆動部材に駆動電圧を印加すると混入していた気泡が潰れるので、気泡が混入していなかった場合と比べると、駆動部材の変形の仕方が変化し、その結果、混入した気泡の有無に応じて、駆動部材に流れる電流波形にも相違が現れる。そこで、駆動部材に駆動電圧を印加した時に駆動部材に流れる電流を検出することによって、液体室内に混入した気泡の有無を検出する。
【０００９】
こうすれば、たとえ僅かな気泡が混入した場合でも直ちに検出することが可能となる。また、液体を噴射するために駆動部材に駆動電圧を印加した時に、駆動部材に流れる電流を検出しているだけなので、気泡を検出するための特別な装置を設ける必要がなく、たいへん容易に気泡を検出することが可能となる。加えて、気泡を検出するための特別な装置が不要であることから、切除装置が大型化することがなく、従って、生物組織を切開あるいは切除する作業の作業性を悪化させる虞もない。
【００１０】
また、上述した本発明の切除装置においては、駆動部材に流れる電流のピーク電流を検出することによって、液体室内の気泡を検出することとしてもよい。
【００１１】
液体室内に気泡が混入すると、駆動部材に流れる電流の変化は、ピーク電流に特徴的に現れる。従って、ピーク電流を検出することで、液体室内に混入した気泡の有無を、容易に且つ精度良く検出することが可能となる。
【００１２】
また、上述した本発明の切除装置においては、次のようにして液体室内の気泡を検出することとしても良い。先ず、液体を噴射するに際しては、所定の最大電圧まで増加した後、その最大電圧から減少する波形の駆動電圧を、駆動部材に印加する。そして、駆動部材に最大電圧が印加されたタイミングで、駆動部材に流れる電流を検出することによって、液体室内に混入した気泡を検出することとしてもよい。
【００１３】
液体を噴射するに際して、所定の最大電圧まで増加した後、その最大電圧から減少する波形の駆動電圧を駆動部材に印加すると、最大電圧が印加されたタイミングで駆動部材に流れる電流は、液体室内に混入した気泡の有無によって特徴的に変化する。従って、このタイミングでの電流を検出すれば、液体室内に混入した気泡の有無を、容易に且つ精度良く検出することが可能となる。
【００１４】
また、上述した本発明の切除装置においては、駆動部材に流れる電流と、駆動部材に応じて記憶された基準電流とを比較することによって、液体室内の気泡を検出することとしてもよい。
【００１５】
液体室内に気泡が混入した状態で駆動部材に電圧を印加した時に、駆動部材に流れる電流は、駆動部材毎の個体差が存在することが経験上、分かっている。従って、駆動部材に応じた適切な基準電流を予め記憶しておき、駆動部材に流れる電流と、駆動部材に応じた基準電流とを比較してやれば、駆動部材の個体差の影響を受けることなく、液体室内の気泡を精度良く検出することが可能となる。
【００１６】
また、本発明は、生物組織に向けて液体を噴射することで、該生物組織の切除を行う切除装置に適用して、液体室内の気泡を検出するための気泡検出方法として把握することも可能である。このような態様で把握された本発明の気泡検出方法は、
生物組織に向けて噴射するための液体が充填される液体室と、
前記液体室に接続された噴射ノズルと、
駆動電圧が印加されると、該駆動電圧が印加されない場合よりも前記液体室の容積を減少させる方向に変形する駆動部材と
を備えた切除装置に適用されて、前記液体室内の気泡を検出する気泡検出方法であって、
前記液体室内に前記液体を供給する工程と、
前記液体室に前記液体が充填された状態で前記駆動部材に前記駆動電圧を印加することにより、該液体室内の前記液体を前記噴射ノズルから噴射させる工程と、
前記駆動電圧を前記駆動部材に印加した時の、前記駆動部材に流れる電流を検出することで、前記液体室内の気泡を検出する工程と
を備えることを要旨とする。
【００１７】
このような本発明の気泡検出方法によれば、液体室内に混入した気泡を、簡単に且つ精度良く検出することができる。その結果、気泡の混入によって切除装置の切開あるいは切除能力が低下したまま、使用を続けてしまう事態を未然に回避することが可能となる。
【図面の簡単な説明】
【００１８】
【図１】本実施例の切除装置の大まかな構成を示した説明図である。
【図２】本実施例の切除装置に設けられた噴射ユニットの構成を示した説明図である。
【図３】噴射ユニットおよび供給ポンプの動作を制御する制御ユニットの構成を示した説明図である。
【図４】本実施例の噴射ユニットが液体を噴射する動作を示した説明図である。
【図５】本実施例の切除装置が噴射ユニット内に混入した気泡を検出する原理を示した説明図である。
【図６】第１実施例の気泡検出部の内部構成を示した説明図である。
【図７】第１実施例の気泡検出部が気泡を検出する様子を例示した説明図である。
【図８】第２実施例の気泡検出部の内部構成を示した説明図である。
【図９】第２実施例の気泡検出部が気泡を検出する様子を例示した説明図である。
【図１０】変形例の制御ユニットの構成を示した説明図である。
【発明を実施するための形態】
【００１９】
以下では、上述した本願発明の内容を明確にするために、次のような順序に従って実施例を説明する。
Ａ．装置構成：
Ｂ．液体の噴射動作：
Ｃ．気泡の検出原理：
Ｄ．第１実施例：
Ｅ．第２実施例：
Ｆ．変形例：
【００２０】
Ａ．装置構成  ：
図１は、本実施例の切除装置の大まかな構成を示した説明図である。図示されているように本実施例の切除装置１０は、大きく分けると、パルス状に液体を噴射する噴射ユニット１００と、噴射ユニット１００から噴射される液体を噴射ユニット１００に向けて供給する供給ポンプ３００と、噴射ユニット１００および供給ポンプ３００の動作を制御する制御ユニット２００などから構成されている。
【００２１】
噴射ユニット１００は、金属製で略長方形形状の前ブロック１０６に、同じく金属製の後ブロック１０８を重ねてネジ止めしたような構造となっており、前ブロック１０６の前面には円管形状の液体通路管１０４が立設され、液体通路管１０４の先端には噴射ノズル１０２が挿着されている。前ブロック１０６と後ブロック１０８との合わせ面には、薄い円板形状の液体室１１０が設けられており、液体室１１０は、液体通路管１０４を介して噴射ノズル１０２に接続されている。また、後ブロック１０８の内部には、積層型圧電素子によって構成されたアクチュエーター１１２が設けられており、アクチュエーター１１２を駆動することによって、液体室１１０を変形させて、液体室１１０の容積を変化させることが可能となっている。
【００２２】
供給ポンプ３００は、噴射しようとする液体（水、生理食塩水、薬液など）が貯められた液体タンク３０６から、チューブ３０２を介して液体を吸い上げた後、チューブ３０４を介して噴射ユニット１００の液体室１１０内に供給する。また、制御ユニット２００は、噴射ユニット１００に内蔵されたアクチュエーター１１２や、供給ポンプ３００を制御することにより、切除装置１０の動作を制御している。
【００２３】
図２は、噴射ユニット１００の詳細な構造を示した説明図である。図２（ａ）には、噴射ユニット１００の断面を取った分解組立図が示されており、図２（ｂ）には、組み立て後の断面図が示されている。後ブロック１０８には、前ブロック１０６と合わさる面のほぼ中央に、大きな円形の浅い凹部１０８ｃが形成されており、凹部１０８ｃの中央位置には、後ブロック１０８を貫通して円形断面のする貫通穴１０８ｈが形成されている。
【００２４】
凹部１０８ｃの底部には、貫通穴１０８ｈを塞ぐような状態で金属製の薄いダイアフラム１１４が設けられ、ダイアフラム１１４の周縁部は、ロウ付けあるいは拡散接合などの手法によって、凹部１０８ｃの底部に対して気密に固着されている。更に、ダイアフラム１１４の上からは、円環形状をした金属製の補強板１２０が、凹部１０８ｃに緩く嵌め込まれるようになっている。そして、補強板１２０の板厚は、ダイアフラム１１４の上から補強板１２０を嵌めた時に、凹部１０８ｃが形成された後ブロック１０８の端面と、補強板１２０の端面とが面位置となるような厚さに設定されている。
【００２５】
ダイアフラム１１４によって塞がれた貫通穴１０８ｈには、アクチュエーター１１２（本実施例では積層型圧電素子）が収容され、アクチュエーター１１２の後側では、円板形状で金属製の底板１１８によって貫通穴１０８ｈが塞がれている。また、アクチュエーター１１２とダイアフラム１１４との間には、円形で金属製のシム１１６が収納される。そして、後ブロック１０８の貫通穴１０８ｈにアクチュエーター１１２を収納して、底板１１８で貫通穴１０８ｈを塞いだ時に、ダイアフラム１１４と、シム１１６と、アクチュエーター１１２と、底板１１８とがちょうど接した状態となるように、シム１１６の厚さが選択されている。
【００２６】
前ブロック１０６には、後ブロック１０８と合わさる側の面に、円形の浅い凹部１０６ｃが形成されている。この凹部１０６ｃの内径は、後ブロック１０８に嵌め込まれた補強板１２０の内径とほぼ同じ大きさに設定されている。そして、前ブロック１０６と後ブロック１０８とを合わせてネジ止めした時に、後ブロック１０８側に設けられたダイアフラム１１４および補強板１２０の内周面と、前ブロック１０６に設けられた凹部１０６ｃとによって、略円板形状の液体室１１０が形成されるようになっている。
【００２７】
また、前ブロック１０６には、前ブロック１０６の側方から液体室１１０に液体を供給するための供給通路１０６ｉが設けられている。更に、凹部１０６ｃの中央位置には、液体室１１０で加圧された液体が通過する細径の噴射通路１０６ｏが貫通している。この噴射通路１０６ｏが開口する部分には、液体通路管１０４が内径部分で挿着されている。そして、その液体通路管１０４の先端には噴射ノズル１０２が挿着されている。従って、液体室１１０から噴射される液体の通路は、噴射通路１０６ｏを通って液体通路管１０４に出ると通路断面積が広くなり、液体通路管１０４の先端の噴射ノズル１０２の部分で再び断面積が狭くなるようになっている。
【００２８】
図２（ｂ）には、噴射ユニット１００を組み立てた状態での断面図が示されている。図示されているように、補強板１２０の端面は後ブロック１０８の端面とちょうど面位置になっており、この面に前ブロック１０６を合わせることで、前ブロック１０６と後ブロック１０８との間に液体室１１０が形成されている。また、後ブロック１０８の貫通穴１０８ｈに、シム１１６およびアクチュエーター１１２を収納して底板１１８を取り付けると、ダイアフラム１１４と、シム１１６と、アクチュエーター１１２と、底板１１８とがちょうど接する状態となっている。
【００２９】
図３は、噴射ユニット１００および供給ポンプ３００の動作を制御する制御ユニット２００の構成を示した説明図である。図示されるように制御ユニット２００は、操作パネルなどによって構成される操作部２０２と、ＣＰＵなどによって構成される動作制御部２０４と、供給ポンプ３００を駆動するポンプ駆動部２０６と、動作制御部２０４の制御の下でアクチュエーター１１２の駆動電圧波形を生成する駆動電圧生成部２０８と、駆動電圧波形を生成するための各種データが記憶されたデータ記憶部２１０と、駆動電圧生成部２０８で生成された駆動電圧波形を増幅する電圧増幅部２１２と、噴射ユニット１００のアクチュエーター１１２に駆動電圧波形を印加した時に、アクチュエーター１１２に流れる駆動電流を検出することにより、噴射ユニット１００内に混入した気泡を検出する気泡検出部２５０などから構成されている。
【００３０】
操作者が、操作部２０２の操作パネルを操作すると、この信号が動作制御部２０４に伝えられ、動作制御部２０４がポンプ駆動部２０６に駆動命令を出力する。すると、ポンプ駆動部２０６が供給ポンプ３００を駆動する結果、噴射ユニット１００内の液体室１１０に液体の供給が開始される。続いて動作制御部２０４は、駆動電圧生成部２０８に対して駆動電圧波形の生成命令を出力する。すると、駆動電圧生成部２０８は、データ記憶部２１０から必要なデータを読み出して、噴射ユニット１００に内蔵されたアクチュエーター１１２の駆動電圧波形を生成した後、電圧増幅部２１２に出力する。電圧増幅部２１２は、受け取った駆動電圧波形の電圧値を増幅した後、噴射ユニット１００のアクチュエーター１１２に駆動電圧波形を印加する。
【００３１】
気泡検出部２５０の詳細な構成については後述するが、気泡検出部２５０は、アクチュエーター１１２に駆動電圧波形が印加されるタイミングを示す信号（タイミング信号）を動作制御部２０４（あるいは駆動電圧生成部２０８）から受け取ると共に、アクチュエーター１１２に流れる駆動電流を検出することによって、噴射ユニット１００内に混入した気泡を検出した後、検出結果を示す信号（気泡検出信号）を、動作制御部２０４に向かって出力する。気泡を検出する原理および検出方法については後ほど詳しく説明する。
【００３２】
Ｂ．液体の噴射動作  ：
図４は、本実施例の噴射ユニット１００が液体を噴射する動作を示した説明図である。図４（ａ）は、供給ポンプ３００を駆動しているが、アクチュエーター１１２は駆動していない状態（駆動電圧を印加する前の状態）を表している。この状態では、図中に太い破線の矢印で示されるように、供給ポンプ３００によって供給された液体で液体室１１０が満たされる。図中では、液体室１１０に斜線を付すことによって、液体室１１０が液体で満たされていることを表している。
【００３３】
続いて、駆動電圧を印加することにより、アクチュエーター１１２を駆動する。すると、アクチュエーター１１２は伸長する方向に変形し、ダイアフラム１１４を変形させて、液体室１１０の容積を減少させようとする。その結果、液体室１１０の液体が加圧されて、噴射通路１０６ｏおよび液体通路管１０４を介して、噴射ノズル１０２から噴射される。このとき噴射される液体の体積は、アクチュエーター１１２の変形によって生じた液体室１１０の容積減少分とほぼ等しくなる。
【００３４】
尚、液体室１１０には、噴射通路１０６ｏだけでなく、供給通路１０６ｉも接続されている。従って、液体室１１０で加圧された液体は、噴射通路１０６ｏからだけでなく、供給通路１０６ｉからも流出しようとするものと考えられる。しかし実際には、液体室１１０で加圧された液体は、専ら噴射通路１０６ｏから流出し、供給通路１０６ｉから流出することはない。これは、次のような理由による。先ず、供給通路１０６ｉ内の液体は液体室１１０内に流入しようとしているので、液体室１１０で加圧された液体が供給通路１０６ｉから流出するためには、供給通路１０６ｉ内の液体の流れを押し戻す必要がある。加えて、供給通路１０６ｉ内の液体は、後方から供給ポンプ３００によって圧送されているので、この圧力にも打ち勝つ必要がある。これに対して、噴射通路１０６ｏでは、液体室１１０からの流出を妨げるような液体の流れは存在せず、しかも供給ポンプ３００が液体を圧送する圧力も、液体室１１０からの流出を妨げる方向には作用しない。このため、液体室１１０で加圧された液体は、供給通路１０６ｉではなく、専ら噴射通路１０６ｏから流出する。加えて、詳細なメカニズムについては説明を省略するが、噴射通路１０６ｏを出た部分で液体の通路の内径（すなわち、液体通路管１０４の内径）は大きくなっており、しかも、噴射通路１０６ｏの長さは、供給通路１０６ｉの長さよりも短く形成されていることも、液体室１１０で加圧された液体が噴射通路１０６ｏから流出し易くなる方向に作用する。これらの理由から、液体室１１０で加圧された液体は、専ら噴射通路１０６ｏから流出し、供給通路１０６ｉから流出することはない。
【００３５】
図４（ｂ）には、アクチュエーター１１２に駆動電圧を印加することで、アクチュエーター１１２が変形して、液体室１１０の容積を減少させる結果、押し出された分の液体が噴射ノズル１０２からパルス状に噴射される様子が示されている。
【００３６】
尚、ここで「パルス状の液体を噴射する」とは、液体の噴射と停止とを繰り返しながら噴射する間欠噴射の態様が含まれるのはもちろんであるが、液体の流量または流速が変動する脈動流の態様で噴射する場合でも、間欠噴射する場合と同様の効果が得られる。従って、本明細書中では、脈動流の態様で噴射することも、「パルス状の液体を噴射する」ことに含まれている。
【００３７】
こうしてパルス状の液体を噴射したら、アクチュエーター１１２に印加した電圧を取り除く。すると、変形していたアクチュエーター１１２が元の長さに復元し、それに伴って減少していた液体室１１０の容積が元の容積に復元する。その動きと共に、供給ポンプ３００から液体室１１０に液体が供給される結果、図４（ａ）に示したアクチュエーター１１２を駆動する前の状態に復帰する。そして、この状態から再びアクチュエーター１１２に駆動電圧を印加すると、図４（ｂ）に示したようにアクチュエーター１１２が変形して、液体室１１０から押し出された分の液体が、噴射ノズル１０２からパルス状に噴射される。このように、本実施例の切除装置１０では、アクチュエーター１１２に駆動電圧を印加する度に、噴射ノズル１０２からパルス状の液体を噴射することが可能となっている。
【００３８】
以上のようなメカニズムを用いて、パルス状の液体を噴射している関係上、液体室１１０に気泡が混入すると、アクチュエーター１１２を駆動して液体室１１０の容積を減少させた時に気泡が潰れてしまう。その結果、液体を十分に加圧することができなくなるので、噴射ノズル１０２から噴射される液体の流速が小さくなってしまう。また、液体室１１０から押し出される液体量も、気泡が潰れる分だけ減少するので、噴射ノズル１０２から噴射される液体量も少なくなってしまう。もちろん、液体室１１０にたいへん多くの気泡が混入した場合には、噴射ノズル１０２から噴出する液体の流速あるいは液体量が大幅に低下するので、操作者は、そのことに直ぐに認識することができる。そして、たとえばアクチュエーター１１２を駆動することなく、暫くの間、供給ポンプ３００を動作させるなどして、気泡を排出することにより、噴射ノズル１０２から噴出する液体の流速や液体量を正常な状態に復帰させることができる。しかし、液体室１１０に混入した気泡がそれほど多くない場合は、噴射ノズル１０２から噴出する液体の流速あるいは液体量が低下したことに気付かないまま、使用し続けてしまうことも起こり得る。そこで、本実施例の切除装置１０では、こうした事態を回避するために、噴射ユニット１００内に混入した気泡を次のようにして検出することとしている。
【００３９】
Ｃ．気泡の検出原理  ：
図５は、本実施例の切除装置１０が噴射ユニット１００内に混入した気泡を検出する原理を示した説明図である。図５には、アクチュエーター１１２に駆動電圧波形を印加した時に、アクチュエーター１１２に流れる駆動電流の電流波形が示されている。図５（ａ）は、噴射ユニット１００内に気泡が混入していない場合の電流波形であり、図５（ｂ）は、気泡が混入している場合の電流波形である。また、何れの場合も、アクチュエーター１１２には同じ駆動電圧波形が印加されている。
【００４０】
先ず、アクチュエーター１１２に印加する駆動電圧波形について説明する。本実施例の駆動電圧波形には、２つの正弦波を組み合わせて生成された電圧波形が用いられている。すなわち、電圧０から最高電圧まで電圧値が増加する部分の波形は、正弦波形の単調増加部分（角度範囲：−π／２〜π／２の部分）によって構成され、最高電圧から電圧０まで電圧値が減少する部分の波形は、正弦波形の単調減少部分（角度範囲：π／２〜３π／２の部分）によって構成されている。このように構成された駆動電圧波形は、電圧０から最高電圧まで滑らかに電圧値が上昇し、最高電圧から電圧０まで滑らかに電圧値が減少する波形となるので、アクチュエーター１１２を滑らかに変形させることができる。
【００４１】
また、電圧値が電圧０から最高電圧に達するまでに要する時間よりも、最高電圧から電圧０までに要する時間の方が、数倍（例えば５倍）程度、長めに設定されている。アクチュエーター１１２は、印加される電圧値が増加すると長さが伸びる方向（液体室１１０の容積を減少させる方向）に変形し、電圧値が減少すると長さが縮む方向（液体室１１０の容積を増加させる方向）に変形する。従って、このような駆動電圧波形をアクチュエーター１１２に印加することで、液体室１１０の容積を短時間で減少させた後、その５倍程度の時間を掛けて、ゆっくりと液体室１１０の容積を元の容積に復帰させることができる。
【００４２】
このとき液体室１１０が液体で満たされている場合には、アクチュエーター１１２は液体室１１０から反力を受けることになる。そして、アクチュエーター１１２は、ピエゾ素子などの電歪効果を有する圧電素子によって構成されているから、アクチュエーター１１２には反力に応じた逆起電力が発生する。その結果、アクチュエーター１１２には、印加される駆動電圧波形と、液体室１１０からの反力による逆起電力とによって決定される電流が流れ込む。当然ながら、液体室１１０内に気泡が混入している場合と、混入していない場合とでは、アクチュエーター１１２が受ける反力は異なるから、発生する逆起電力も異なって、アクチュエーター１１２に流れ込む電流も異なったものとなる。
【００４３】
実際に、アクチュエーター１１２に流れ込む電流（駆動電流）を検出すると、液体室１１０に気泡が混入していない場合と、気泡が混入している場合とで、得られる電流波形が相違する。このことから、アクチュエーター１１２に流れ込む駆動電流を検出して、その電流波形の違いから、混入した気泡の有無を判断することが可能となる。本実施例の切除装置１０は、このような原理に基づいて、噴射ユニット１００（液体室１１０や、供給通路１０６ｉ、噴射通路１０６ｏ）内に混入した気泡を検出している。
【００４４】
尚、ここでは、アクチュエーター１１２として、積層型圧電素子が用いられているものとして説明するが、アクチュエーター１１２としてソレノイドなどが用いられている場合にも、同様な現象が生じ得る。例えば、液体室１１０に気泡が混入している場合には、気泡が潰れるために、液体室１１０の容積が速やかに減少し、ソレノイドの中心に設けられた駆動軸が速やかに移動する。その結果、駆動軸の周囲に設けられたコイルを通過する磁束密度の変化速度が大きくなり、コイルに誘導起電力を発生させ、その影響で、アクチュエーター１１２に流れる電流（駆動電流）の波形に変化が現れる。このように、アクチュエーター１１２が、積層型圧電素子以外によって構成されている場合でも、同様な現象が生じ得る。従って、アクチュエーター１１２の駆動電流を検出することで、液体室１１０（あるいは噴射ユニット１００）内に混入した気泡の有無を検出することが可能となる。
【００４５】
また、アクチュエーター１１２に流れる駆動電流波形の違いを検出する方法としては、どのような方法を用いても構わないが、次のような点に着目すれば、電流波形の違いを簡単に検出することが可能である。すなわち、図５（ａ）に示した気泡が混入していない場合の電流波形と、図５（ｂ）に示した気泡が混入している場合の電流波形とを比較すると、気泡が混入することで、ピーク電流値が増加する。従って、ピーク電流値を検出することで、駆動電流波形の違いを直ちに検出することが可能となる。また、駆動電圧波形が増加から減少に転ずるタイミングでの電流値は、気泡が混入することで低下する。従って、このタイミングでの電流値を検出することによっても、駆動電流波形の違いを直ちに検出することが可能となる。以下では、こうした点に着目して、混入した気泡を検出する方法について具体的に説明する。
【００４６】
Ｄ．第１実施例  ：
図６は、第１実施例の気泡検出部２５０の内部構成を示した説明図である。図示されるように、第１実施例の気泡検出部２５０は、電流検出部２５１や、ピークホールド部２５２、比較部２５３、遅延部２５４、ラッチ部２５５などの電気回路によって構成されている。このうち、電流検出部２５１は主にコイルによって構成されており、アクチュエーター１１２に向かって電流が流れると、その時にコイルに誘導起電力が生じることで、電流値に応じた電圧を発生させる。こうして発生した電圧は、ピークホールド部２５２に出力される。ピークホールド部２５２は主にＩＣチップによって構成されており、入力された電圧値の最大値を保持する機能を有している。また、ピークホールド部２５２には、動作制御部２０４（あるいは駆動電圧生成部２０８）からのタイミング信号も入力されるようになっており、タイミング信号が入力されると、保持していた電圧値がリセットされるようになっている。
【００４７】
ピークホールド部２５２の出力（保持されている最大電圧値）は、比較部２５３に入力される。比較部２５３も主にＩＣチップによって構成されており、入力された電圧と、予め設定された閾値電圧とを比較し、その結果に応じて、ＨｉまたはＬｏｗ何れかの電圧状態を出力する機能を有している。本実施例では、ピークホールド部２５２から入力された電圧が、閾値電圧よりも大きい場合には、Ｈｉの電圧状態を出力し、閾値電圧よりも小さい場合には、Ｌｏｗの電圧状態を出力するようになっている。
【００４８】
比較部２５３からの出力は、ラッチ部２５５に入力される。ラッチ部２５５も主にＩＣチップによって構成されており、ラッチ信号を受け取った時に入力されている電圧値を出力すると共に、ラッチ信号を受け取る度に出力電圧を更新する機能を有している。ラッチ信号は、前述したタイミング信号を遅延部２５４で遅延させることによって生成されている。そしてラッチ部２５５は、ラッチ信号を受け取った時に、比較部２５３からＨｉ状態の電圧を受け取っていた場合は、Ｈｉ状態の電圧を、気泡検出信号として動作制御部２０４に出力する。また、ラッチ信号を受け取った時に、比較部２５３からＬｏｗ状態の電圧を受け取っていた場合は、Ｌｏｗ状態の電圧を、気泡検出信号として動作制御部２０４に出力するようになっている。
【００４９】
図７は、第１実施例の気泡検出部２５０が気泡を検出する様子を例示した説明図である。図７の最上段には、アクチュエーター１１２に印加する駆動電圧波形と、それによってアクチュエーター１１２に流れる駆動電流波形とが示されている。図示した例では、アクチュエーター１１２に５回連続して駆動電圧波形が印加されており、駆動電圧波形が印加される度に、アクチュエーター１１２に流れ込む５回分の駆動電流波形が示されている。これらの駆動電流波形のうち、初めの２つおよび最後の１つの波形は、液体室１１０に気泡が混入していない場合の駆動電流波形となっており（図５（ａ）参照のこと）、３つめ及び４つめの２つの波形は、気泡が混入した場合の駆動電流波形となっている（図５（ｂ）参照のこと）。
【００５０】
また、その駆動電流波形の下側には、動作制御部２０４（あるいは駆動電圧生成部２０８）から出力されるタイミング信号が示されている。図示した例では、アクチュエーター１１２に対して駆動電圧波形の印加を開始するタイミングで、タイミング信号が出力されている。
【００５１】
タイミング信号の下側には、ピークホールド部２５２の出力波形が示されている。ピークホールド部２５２の出力は、タイミング信号が入力されると電圧０にリセットされ、その後、電流検出部２５１の出力電圧が上昇すると共に上昇していく。しかし、電流検出部２５１の出力電圧が低下に転じても、ピークホールド部２５２の出力電圧は低下することなく、最高出力電圧が維持される。そして、タイミング信号が入力されると、再び電圧０にリセットされる。上述したように、タイミング信号はアクチュエーター１１２に駆動電圧波形を印加するタイミングで出力されているから、ピークホールド部２５２の出力波形は、アクチュエーター１１２に流れる駆動電流のピーク値が、駆動電圧波形を印加する度に変化する様子を表していることになる。図７に示した例では、アクチュエーター１１２を５回駆動した中で、初めの２回および最後の１回の駆動ではピークホールド部２５２の出力電圧は低く、３回目および４回目の駆動ではピークホールド部２５２の出力電圧が高くなっている。
【００５２】
こうして得られたピークホールド部２５２の出力波形と、予め設定しておいた閾値電圧との大小関係を、比較部２５３を用いて検出する。図７では、ピークホールド部２５２の出力波形と比較する閾値電圧が、一点鎖線によって示されている。また、ピークホールド部２５２の出力波形の下側には、比較部２５３の出力波形が示されている。図示されているように、ピークホールド部２５２の出力電圧が閾値電圧を下回っている場合は、比較部２５３の出力はＬｏｗ状態となり、逆にピークホールド部２５２の出力電圧が閾値電圧を上回っている場合は、比較部２５３の出力はＨｉ状態となる。図７に示した例では、アクチュエーター１１２を５回駆動した中で、初めの２回および最後の１回の駆動では比較部２５３の出力がＬｏｗ状態となり、３回目および４回目の駆動では比較部２５３の出力がＨｉ状態となっている。
【００５３】
ラッチ部２５５では、このような比較部２５３の出力を受け取って、ラッチ信号が入力される度に、その時点で比較部２５３が出力している電圧状態（Ｌｏｗ状態またはＨｉ状態の何れか）を、気泡検出信号として出力する。図７では、比較部２５３の出力波形の下側にラッチ信号が示されており、その下側に、ラッチ部２５５から出力される気泡検出信号が示されている。その結果、アクチュエーター１１２を５回駆動した中で、３回目の駆動時から４回目の駆動時までは、気泡検出信号がＨｉ状態となって、液体室１１０に気泡が混入していることが検出されている。
【００５４】
このように、第１実施例の気泡検出部２５０では、アクチュエーター１１２を駆動した時の駆動電流のピーク値を検出することで、液体室１１０（あるいは噴射ユニット１００）に混入した気泡の有無を、迅速に且つ確実に、しかもたいへん容易に検出することが可能となる。その結果、切除装置１０の操作者が、噴射ユニット１００に気泡が混入したことに気が付かず、切開能力あるいは切除能力が低下したことに気付かないまま、切除装置１０の使用を継続してしまう事態を確実に回避することが可能となる。
【００５５】
Ｅ．第２実施例  ：
以上に説明した第１実施例では、アクチュエーター１１２を駆動した時の駆動電流のピーク値に基づいて、噴射ユニット１００に混入した気泡を検出した。しかし、図５を用いて前述したように、混入した気泡の有無に起因する駆動電流波形の変化は、ピーク電流値だけに現れるものではなく、異なる点に着目して駆動電流波形の変化を検出することで、混入した気泡の有無を検出することも可能である。例えば、図５を用いて前述したように、噴射ユニット１００内に気泡が混入すると、アクチュエーター１１２に印加した駆動電圧波形が増加から減少に転ずるタイミングでの電流値が低下する。以下では、この点に着目して気泡を検出する第２実施例について説明する。
【００５６】
図８は、第２実施例の気泡検出部２５０の内部構成を示した説明図である。図示されるように、第２実施例の気泡検出部２５０は、電流検出部２５１や、サンプルホールド部２５６、比較部２５３などの電気回路によって構成されている。このうち、電流検出部２５１は、第１実施例で用いられているものと同様であり、アクチュエーター１１２に向かって電流が流れると、電流値に応じた電圧を発生させて、サンプルホールド部２５６に出力する。サンプルホールド部２５６は主にＩＣチップによって構成されており、タイミング信号を受け取った時点で入力されていた電圧を、次のタイミング信号を受け取るまで保持する機能を有している。また、第２実施例においても、タイミング信号は、動作制御部２０４（あるいは駆動電圧生成部２０８）から出力されている。
【００５７】
サンプルホールド部２５６の出力は、比較部２５３に入力される。この比較部２５３も、第１実施例で用いられているものと同様であり、入力された電圧と、予め設定された閾値電圧とを比較して、その結果に応じて、ＨｉまたはＬｏｗ何れかの電圧状態を出力する機能を有している。第２実施例では、サンプルホールド部２５６から入力された電圧が、閾値電圧よりも小さい場合にはＬｏｗの電圧状態を出力し、閾値電圧よりも大きい場合にはＨｉの電圧状態を出力する。そして、第２実施例では、こうして得られた比較部２５３の出力を、記法検出信号として使用する。
【００５８】
図９は、第２実施例の気泡検出部２５０が気泡を検出する様子を例示した説明図である。図７を用いて前述した第１実施例と同様に、図９の最上段にも、アクチュエーター１１２に印加する駆動電圧波形と、それによってアクチュエーター１１２に流れる駆動電流波形とが示されている。また、図９においても、５つの駆動電圧波形のうち、初めの２つおよび最後の１つの波形が、気泡が混入していない場合の波形であり、３つめ及び４つめの波形が、気泡が混入した場合の波形となっている。
【００５９】
駆動電流波形の下側には、動作制御部２０４（あるいは駆動電圧生成部２０８）から出力されるタイミング信号が示されている。第２実施例では、アクチュエーター１１２に印加する駆動電圧波形が上昇から下降に転じるタイミングで、タイミング信号が出力されている。
【００６０】
また、タイミング信号の下側には、サンプルホールド部２５６の出力波形が示されている。前述したようにサンプルホールド部２５６は、タイミング信号を受け取った時に、電流検出部２５１から入力された電圧を出力する機能を有している。従って、図９に示されるように、初めの２つの駆動電流波形および最後の１つの駆動電流波形に対しては、サンプルホールド部２５６が出力する電圧は高くなり、３つめおよび４つめの駆動電流波形に対しては、サンプルホールド部２５６が出力する電圧は低くなる。
【００６１】
こうして得られたサンプルホールド部２５６の出力と、予め設定しておいた閾値電圧との大小関係を、比較部２５３を用いて検出する。図９においても、閾値電圧は一点鎖線で示されている。図９に示されているように、気泡が混入していない場合に該当する初めの２つの駆動電流波形および最後の１つの駆動電流波形に対しては、比較部２５３の出力はＬｏｗ状態となる。また、気泡が混入した場合に該当する３つめおよび４つめの駆動電流波形に対しては、比較部２５３の出力はＨｉ状態となる。従って、この比較部２５３の出力を気泡検出信号として用いることによっても、気泡の混入を迅速に且つ容易に検出することが可能となる。その結果、切除装置１０の操作者が、噴射ユニット１００に気泡が混入したことに気が付かず、切開能力あるいは切除能力が低下したことに気付かないまま、切除装置１０の使用を継続してしまう事態を確実に回避することが可能となる。
【００６２】
Ｆ．変形例  ：
上述した第１実施例あるいは第２実施例では、気泡検出部２５０内で気泡検出の為に用いられる閾値電圧が固定されているものとして説明した。しかし、気泡が混入した時にアクチュエーター１１２に流れる駆動電流波形は、アクチュエーター１１２毎に異なっており、従って、気泡検出の為に用いられる閾値電圧の最適値も、アクチュエーター１１２毎に異なっている。そこで、アクチュエーター１１２の個体差に応じて閾値電圧の値を変更するようにしてもよい。
【００６３】
図１０は、変形例の制御ユニット２００の構成を示した説明図である。変形例の制御ユニット２００は、図３を用いて前述した第１実施例あるいは第２実施例の制御ユニット２００に対して、動作制御部２０４が噴射ユニット１００からアクチュエーター１１２の個体差情報を取得する点と、動作制御部２０４が気泡検出部２５０に対して閾値電圧を設定する点とが異なっている。ここでアクチュエーター１１２の個体差情報とは、気泡が混入した時の駆動電流波形を実測して、ピーク電流値あるいは駆動電圧が上昇から下降に転じるタイミングでの電流値などに関するデータである。噴射ユニット１００には、アクチュエーター１１２の個体差情報を記憶したＩＣチップが搭載されており、制御ユニット２００の動作制御部２０４は、ＩＣチップに記憶されたデータを読み出すことによって、アクチュエーター１１２の個体差情報を取得することが可能となっている。
【００６４】
尚、アクチュエーター１１２の個体差情報としては、ピーク電流値あるいは駆動電圧が上昇から下降に転じるタイミングでの電流値であっても良いし、それら電流値に基づいて決定された補正値であっても良い。あるいは、実測された電流値に基づいてアクチュエーター１１２を幾つかの類別に分類した時の類別を示す番号であっても構わない。
【００６５】
変形例においても、動作制御部２０４は、操作部２０２からの信号を受け取ると、ポンプ駆動部２０６に駆動命令を出力して供給ポンプ３００を駆動するとともに、駆動電圧生成部２０８に駆動電圧波形の生成命令を出力して、噴射ユニット１００に内蔵されたアクチュエーター１１２の駆動を開始する。このように、噴射ユニット１００から液体を噴射するために行われる一連の動作は、前述した第１実施例あるいは第２実施例と全く同様であるため、ここでは説明を省略する。
【００６６】
しかし、気泡を検出するための動作は、変形例では、前述した第１実施例あるいは第２実施例とは若干異なっている。すなわち、変形例では、動作制御部２０４が噴射ユニット１００からアクチュエーター１１２の個体差情報を取得する。そして、取得した個体差情報に応じて閾値電圧を決定した後、その結果を気泡検出部２５０に対して出力する。尚、動作制御部２０４が気泡検出部２５０に対して閾値電圧を設定するに際しては、閾値電圧の値を出力するようにしても良いし、気泡検出部２５０内に標準の閾値電圧を記憶しておき、その閾値電圧に対する補正値を出力するようにしてもよい。あるいは、気泡検出部２５０内に複数の閾値電圧を記憶しておき、その中の何れかの閾値電圧を指定するようにしても良い。変形例の気泡検出部２５０では、こうして設定された閾値電圧と、ピークホールド部２５２の出力あるいはサンプルホールド部２５６の出力とを比較することによって、気泡の有無を検出する。
【００６７】
こうすれば、アクチュエーター１１２の個体差を考慮した適切な閾値電圧を用いて気泡の有無を検出することができるので、アクチュエーター１１２の個体差に影響されることなく、僅かな気泡が混入した場合でも、迅速に且つ正確に、気泡の混入を検出することが可能となる。
【００６８】
尚、上述した変形例では、アクチュエーター１１２の個体差に応じて閾値電圧を変更するものとして説明したが、アクチュエーター１１２に印加する駆動電圧波形に応じて、閾値電圧を変更するようにしても構わない。
【００６９】
以上、本実施例の切除装置について説明したが、本発明は上記すべての実施例および変形例に限られるものではなく、その要旨を逸脱しない範囲において種々の態様で実施することが可能である。
【符号の説明】
【００７０】
１０…切除装置、１００…噴射ユニット、１０２…噴射ノズル、１０４…液体通路管、１０６…前ブロック、１０６ｃ…凹部、１０６ｉ…供給通路、１０６ｏ…噴射通路、１０８…後ブロック、１０８ｃ…凹部、１０８ｈ…貫通穴、１１０…液体室、１１２…アクチュエーター、１１４…ダイアフラム、１１６…シム、１１８…底板、１２０…補強板、２００…制御ユニット、２０２…操作部、２０４…動作制御部、２０６…ポンプ駆動部、２０８…駆動電圧生成部、２１０…データ記憶部、２１２…電圧増幅部、２５０…気泡検出部、２５１…電流検出部、２５２…ピークホールド部、２５３…比較部、２５４…遅延部、２５５…ラッチ部、２５６…サンプルホールド部、３００…供給ポンプ、３０２…チューブ、３０４…チューブ、３０６…液体タンク。
【図１】
2014239891.tif 000003
【図２】
2014239891.tif 000004
【図３】
2014239891.tif 000005
【図４】
2014239891.tif 000006
【図５】
2014239891.tif 000007
【図６】
2014239891.tif 000008
【図７】
2014239891.tif 000009
【図８】
2014239891.tif 000010
【図９】
2014239891.tif 000011
【図１０】
2014239891.tif 000012
【手続補正書】
【提出日】平成26年6月20日(2014.6.20)
【手続補正２】
【補正対象書類名】特許請求の範囲
【補正対象項目名】全文
【補正方法】変更
【補正の内容】
【特許請求の範囲】
【請求項１】
液体を供給可能な液体室と、前記液体室に接続され該液体室に連通する噴射ノズルと、駆動電圧が印加されると前記液体室の容積を変更するよう変形可能な駆動部材と、前記駆動部材に関する個体差情報保持部と、を含み、前記駆動部材に前記駆動電圧が印加されることにより前記液体室内の液体を前記噴射ノズルから生物組織に向けてパルス状に噴射させ、該生物組織の切開または切除を行うための液体噴射ユニットと、前記液体室に液体を供給可能な液体供給手段と、に接続して使用可能な液体噴射装置用制御ユニットであって、
前記液体噴射装置用制御ユニットは、
前記駆動部材へ印加する駆動電圧を生成可能な駆動電圧生成部と、
前記駆動電圧を前記駆動部材に印加したときに前記駆動部材に流れる電流を検出する電流検出部と、
前記電流検出部の出力電圧に基づき、所定の閾値電圧と比較することで、前記液体室内の気泡を検出するための気泡検出部と、
を備え、
前記液体噴射装置用制御ユニットは、
前記液体噴射ユニットから前記個体差情報を取得して、前記閾値電圧を設定可能であることを特徴とする液体噴射装置用制御ユニット。
【請求項２】
請求項１に記載の液体噴射装置用制御ユニットであって、
前記気泡検出部が、前記駆動電圧が最大電圧から減少に転じるタイミングで前記電流検出部により検出された前記駆動部材に流れる電流値に基づき、気泡の有無を検出すること
を特徴とする液体噴射装置用制御ユニット。
【請求項３】
請求項１に記載の液体噴射装置用の制御ユニットであって、
前記気泡検出部が、前記駆動電圧が最大電圧から減少に転じるタイミングで前記電流検出部により検出された前記駆動部材に流れる電流値に基づき、気泡の有無を検出すること
を特徴とする液体噴射装置用制御ユニット。
【請求項４】
請求項１ないし３に記載の液体噴射装置用の制御ユニットであって、
前記個体差情報が、所定の閾値電圧に対する補正値である液体噴射装置用制御ユニット。
【請求項５】
請求項１ないし３に記載の液体噴射装置用の制御ユニットであって、
前記個体差情報が、複数の所定の閾値電圧のうちのいずれかを指定するための番号である液体噴射装置用制御ユニット。